【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
モバイルデバイスを使用してアイデンティティ文書（ＩＤ）を含む画像を受信し、または取込むステップと、
前記画像に少なくとも部分的に基づいて前記ＩＤを分類するステップと、
ＩＤ分類に少なくとも部分的に基づいて前記ＩＤからデータを抽出するステップと、
抽出された前記データに基づいてワークフローの少なくとも一部を駆動するステップとを含む、方法。
【請求項２】
前記ＩＤ分類に基づいて抽出モデルを構築するステップと、
前記抽出モデルを使用して前記ＩＤから前記データを抽出するステップとをさらに含む、請求項１に記載の方法。
【請求項３】
抽出された前記データは前記ワークフローに関連していると判断するステップをさらに含む、請求項１または請求項２に記載の方法。
【請求項４】
前記判断するステップは、
前記ＩＤ分類、
抽出された前記データの部分が１つ以上の予め定められたストリングを含むと判断すること、および
抽出された前記データの部分が１つ以上の予め定められた画像を含むと判断すること、
のうちの１つ以上に少なくとも部分的に基づいている、請求項３に記載の方法。
【請求項５】
前記画像は複数の文書を含み、前記方法はさらに、
前記複数の文書のうちの少なくとも２つを分類するステップと、
各文書分類に基づいて抽出モデルを構築するステップと、
前記抽出モデルに基づいて、分類された前記文書のうちの少なくともいくつかから前記データを抽出するステップとを含む、請求項１〜請求項４のいずれか１項に記載の方法。
【請求項６】
前記ＩＤは複数ページの文書を含み、前記方法はさらに、
前記モバイルデバイスを使用して１つ以上の追加画像を受信し、または取込むステップを含み、各追加画像は、前記ＩＤの少なくとも１ページの少なくとも一部を含み、
前記分類するステップはさらに、前記追加画像のうちの１つ以上に基づいており、
前記データは、前記ＩＤの少なくとも２ページから抽出される、請求項１〜請求項５のいずれか１項に記載の方法。
【請求項７】
抽出された前記データの一部またはすべてに少なくとも部分的に基づいてアイデンティティプロファイルを合成するステップをさらに含む、請求項１〜請求項６のいずれか１項に記載の方法。
【請求項８】
抽出された前記データの少なくとも一部に基づいて複数のアイデンティティサブプロファイルを合成するステップをさらに含む、請求項７に記載の方法。
【請求項９】
各アイデンティティサブプロファイルは、予め定められたタイプのビジネスプロセスに関係する識別情報を含む、請求項８に記載の方法。
【請求項１０】
各アイデンティティサブプロファイルは、一意的なエンティティに関係する識別情報を含む、請求項８に記載の方法。
【請求項１１】
抽出された前記データを使用してワークフロー関連データを突きとめるステップをさらに含み、前記ワークフロー関連データは前記ＩＤ上に示されていない、請求項１〜請求項１０のいずれか１項に記載の方法。
【請求項１２】
抽出された前記データを使用して前記ＩＤ上のワークフロー関連データを突きとめるステップをさらに含み、
抽出するステップは、前記ＩＤ上の前記ワークフロー関連データを突きとめるステップに応答して行なわれる、請求項１〜請求項１１のいずれか１項に記載の方法。
【請求項１３】
前記ワークフローは、抽出された前記データまたは抽出された前記データを使用して判断されたデータに少なくとも部分的に依拠する金融トランザクションを含む、請求項１〜請求項１２のいずれか１項に記載の方法。
【請求項１４】
前記金融トランザクションは抽出された前記データを利用して完了することができないと判断するステップと、
前記金融トランザクションに関連して使用するのに好適な１つ以上の代替的データソースを判断するステップと、
前記金融トランザクションに関連して使用するための前記代替的データソースのうちの１つを指定するステップと、
指定された前記代替的データソースのうちの１つ以上から得られたデータに少なくとも部分的に基づいて前記金融トランザクションを完了するステップとをさらに含む、請求項１３に記載の方法。
【請求項１５】
前記金融トランザクションは抽出された前記データを利用して完了することができないという表示をユーザに表示するステップと、
前記代替的データソースのうちの１つ以上を指定するユーザ入力を要求するステップと、
前記ユーザ入力を受信するステップと、
前記ユーザ入力に少なくとも部分的に基づいて、指定された前記代替的データソースを使用して前記金融トランザクションを完了するステップとをさらに含む、請求項１４に記載の方法。
【請求項１６】
前記金融トランザクションに関するユーザ入力を要求するステップと、
前記ユーザ入力を受信するステップとをさらに含み、
前記金融トランザクションは、受信された前記ユーザ入力に少なくとも部分的に依拠する、請求項１３に記載の方法。
【請求項１７】
前記ユーザ入力はモバイルデバイスディスプレイを介して受信され、前記ユーザ入力は識別情報を含む、請求項１６に記載の方法。
【請求項１８】
前記ワークフローに関するユーザ入力を受信するステップをさらに含み、
前記ユーザ入力は少なくとも部分的にモバイルデバイスディスプレイを介して受信され、
前記抽出するステップおよび前記駆動するステップのうちの少なくとも１つはさらに、受信された前記ユーザ入力に少なくとも部分的に基づいている、請求項１〜請求項１７のいずれか１項に記載の方法。
【請求項１９】
前記データを抽出する前に前記ＩＤを確認するステップをさらに含む、請求項１〜請求項１８のいずれか１項に記載の方法。
【請求項２０】
モバイルデバイスを使用してアイデンティティ文書（ＩＤ）を含む画像を受信し、または取込むステップと、
前記ＩＤを分類するステップと、
ＩＤ分類に基づいて抽出モデルを構築するステップと、
前記抽出モデルに基づいて前記ＩＤからデータを抽出するステップと、
抽出された前記データに基づいてＩＤプロファイルを構築するステップと、
前記ＩＤプロファイルを前記モバイルデバイスのメモリに格納するステップと、
ワークフローにおける予め定められた刺激を検出するステップと、
前記予め定められた刺激を検出するステップに応答して、格納された前記ＩＤプロファイルにおけるワークフロー関連データを少なくとも部分的に識別するステップと、
格納された前記ＩＤプロファイルから前記ワークフローに前記ワークフロー関連データを提供するステップと、
前記ワークフロー関連データを使用して前記ワークフローの少なくとも一部を駆動するステップとを含む、方法。
【請求項２１】
コンピュータプログラムであって、命令を含み、前記命令は、プロセッサに以下のステップを行なわせるように構成されおり、以下のステップは、
モバイルデバイスに格納された画像を受信し、またはモバイルデバイスを使用して画像を取込むステップを含み、前記画像はアイデンティティ文書（ＩＤ）を含み、前記以下のステップはさらに、
前記ＩＤを分類するステップと、
ＩＤ分類に基づいて抽出モデルを構築するステップと、
前記抽出モデルに基づいて前記ＩＤからデータを抽出するステップと、
抽出された前記データに基づいてＩＤプロファイルを構築するステップと、
前記ＩＤプロファイルを前記モバイルデバイスのメモリに格納するステップと、
ワークフローにおける予め定められた刺激を検出するステップと、
前記予め定められた刺激を検出するステップに応答して、格納された前記ＩＤプロファイルにおけるワークフロー関連データを少なくとも部分的に識別するステップと、
格納された前記ＩＤプロファイルから前記ワークフローに前記ワークフロー関連データを提供するステップと、
前記ワークフロー関連データを使用して前記ワークフローの少なくとも一部を駆動するステップとを含む、コンピュータプログラム。
【請求項２２】
プロセッサに、抽出された前記データの一部またはすべてに少なくとも部分的に基づいてアイデンティティプロファイルを合成させるように構成された命令をさらに含む、請求項２１に記載のコンピュータプログラム。
【請求項２３】
プロセッサに、抽出された前記データの少なくとも一部に基づいて複数のアイデンティティサブプロファイルを合成させるように構成された命令をさらに含む、請求項２１に記載のコンピュータプログラム。
【請求項２４】
各アイデンティティサブプロファイルは、予め定められたタイプのビジネスプロセスに関係する識別情報を含む、請求項２３に記載のコンピュータプログラム。
【請求項２５】
各アイデンティティサブプロファイルは、一意的なエンティティに関係する識別情報を含む、請求項２３に記載のコンピュータプログラム。